(57)【要約】      （修正有）【課題】再試運転作業を短期間に完了にさせることができる設備機器の初期設定支援システムを提供する。【解決手段】設備管理装置は、試運転情報記憶手段６６および設備位置情報発信手段７２を有する。試運転情報記憶手段には、少なくとも試運転実行時において設置位置情報を含む試運転情報が記憶される。設備位置情報発信手段は、試運転情報のうち少なくとも設置位置情報を発信する。遠隔設備監視装置は、複数の設備機器および設備管理装置の遠方に配備される。また、この遠隔設備監視装置は、設置位置情報受信手段、設置位置情報記憶手段、および設置位置情報取得手段を有する。設置位置情報受信手段は、設置位置情報を受信する。設置位置情報記憶手段には、設置位置情報受信手段において受信された設置位置情報が記憶される。設置位置情報取得手段は、設置位置情報記憶手段から設置位置情報を取得可能である。【選択図】図２
2006285352.tif 000002
【特許請求の範囲】
【請求項１】
複数の設備機器（５０ａ，５０ｂ，５０ｃ）と、
前記複数の設備機器の設置位置に関する情報である設置位置情報を含む、前記複数の設備機器の試運転を実行させるために必要となる情報である試運転情報を少なくとも前記試運転実行時に記憶する試運転情報記憶手段（６６）と、前記試運転情報のうち少なくとも前記設置位置情報を発信する設備位置情報発信手段（７２）とを有する設備管理装置（６０ａ，６０ｃ）と、
前記複数の設備機器および前記設備管理装置の遠方に配備され、前記設置位置情報を受信する設置位置情報受信手段（９６）と、前記設置位置情報受信手段において受信された前記設置位置情報を記憶する設置位置情報記憶手段（８６）と、前記設置位置情報記憶手段から前記設置位置情報を取得可能である設置位置情報取得手段（８６ｅ）とを有する遠隔設備監視装置（８０）と、
を備える、設備機器の初期設定支援システム（１５０）。
【請求項２】
前記設置位置情報記憶手段に記憶される前記設置位置情報を送信するように要求するための信号である情報送信要求信号を前記遠隔設備監視装置に対して送信可能である情報送信要求信号送信装置をさらに備え、
前記遠隔設備監視装置は、前記情報送信要求信号を受信可能である情報送信要求信号受信手段をさらに有し、
前記設置位置情報取得手段は、前記情報送信要求信号受信手段において前記情報送信要求信号が受信された場合に、前記第１設置位置情報記憶手段から前記設置位置情報を取得し、前記情報送信要求信号送信装置に送信する、
請求項１に記載の設備機器の初期設定支援システム。
【請求項３】
前記遠隔設備監視装置は、設置位置情報受信手段において受信された前記設置位置情報の情報形式を変換する情報形式変換手段と、前記情報形式変換手段において形式変換された前記設置位置情報を元の情報形式に戻す情報形式復元手段とをさらに有し、
前記設置位置情報記憶手段は、情報形式変換手段において形式変換された設置位置情報を記憶し、
前記設置位置情報取得手段は、情報形式復元手段において情報形式が戻された前記設置位置情報を取得する、
請求項１または２に記載の設備機器の初期設定支援システム。
【発明の詳細な説明】
【技術分野】
【０００１】
本発明は、設備管理装置が修理不能な状態に陥って新しい設備管理装置に交換しなければならない場合に、作業担当者が再度の初期設定作業（試運転作業）を短期間に完了にさせることができる設備機器の初期設定支援システムに関する。
【背景技術】
【０００２】
現在、複数の建物（ビル、住宅等）に設置された設備機器（空調機器、照明機器、給湯器等）の監視を一括して行うために、設備機器あるいは設備管理装置をネットワークを介して遠方の設備監視装置（以下、遠隔設備監視装置という）に通信接続するという遠隔監視システムが既に構築・運用されている。
ところで、設備機器を遠隔監視するためには、遠隔設備監視装置が設備機器の設置情報を把握しておく必要がある。このため、遠隔設備監視装置が設置される集中監視センタでは、試運転作業担当者などが建物の設計業者や設備機器の施工業者などが作成する図面などを入手しておくことが必要となる。そして、集中監視センタでは、試運転作業担当者などがこれらの図面などを元に設置情報を推定する。設備機器の設置は、これらの図面などを元に行われていると考えられるので、推定される設置情報は、実際の設置情報と同一であると考えられる。つまり、集中監視センタにおいて、推定される設置情報を把握すれば、実際の設置情報を把握することができると考えられる。
【０００３】
しかし、実際には、物理的な理由や人為的なミスなどのため、これらの図面などの通りに設備機器が設置されていないことがある。つまり、推定される設置情報と実際の設置情報とが、同一でないことがある。このため、集中監視センタにおいて、試運転作業担当者などが、推定される設置情報を把握するだけでは、実際の設置情報を把握することができないことがある。
【０００４】
このため、実際には、設備機器の遠隔監視を始める前に、試運転作業担当者などが、設備機器の設置される建物に実際に出向いて実際の設置情報を把握していた。例えば、空気調和装置の遠隔監視システムにおいては、空気調和装置の実際の設置情報を把握するために、試運転作業担当者などが現地で管理対象の空気調和装置全てについて設置情報を試運転ツールに入力していた。また、空気調和装置における設置情報は、空気調和装置の設置される場所・空気調和装置の属する冷媒系統名・室外機の機種名・室内機の機種など非常に多くの項目からなる。つまり、集中監視センタにおいて設備機器の実際の設置情報を把握するためには、試運転作業担当者などが非常に多くの項目からなる設置情報を機器毎に一台一台試運転ツールに入力する必要があった。このため、試運転作業担当者などは、集中監視センタにおいて設備機器の設置情報を把握するのに多大な時間を費やしていた。
【０００５】
このような問題に対し、初期設定の作業時間を短縮する目的で、試運転作業担当者などが事前に予想設置情報を入力しておくことが可能である試運転ツールが提案されている（特許文献１参照）。
【特許文献１】特開２００４−０１５７４７号公報
【発明の開示】
【発明が解決しようとする課題】
【０００６】
ところで、特許文献１におけるコントローラ（以下、設備管理装置という）が修理不能な状態に陥って新たな設備管理機器に交換しなければならない状況では、試運転作業担当者などは、上記の試運転ツールを利用して設備機器の再試運転作業を行わなければならない。本発明の課題は、設備管理装置が修理不能な状態に陥って新しい設備管理装置に交換しなければならない場合に、設備機器の遠隔監視の担当者などが初期設定作業（再試運転作業）を短期間に完了にさせることができる設備機器の初期設定支援システムを提供することにある。
【課題を解決するための手段】
【０００７】
第１発明に係る設備機器の初期設定支援システムは、複数の設備機器、設備管理装置、および遠隔設備監視装置を備える。設備管理装置は、試運転情報記憶手段および設備位置情報発信手段を有する。試運転情報記憶手段には、少なくとも試運転実行時において設置位置情報を含む試運転情報が記憶される。なお、ここにいう「試運転情報」とは、複数の設備機器の試運転を実行させるために必要となる情報である。また、ここにいう「設置位置情報」とは、複数の設備機器の設置位置に関する情報である。設備位置情報発信手段は、試運転情報のうち少なくとも設置位置情報を発信する。遠隔設備監視装置は、複数の設備機器および設備管理装置の遠方に配備される。また、この遠隔設備監視装置は、設置位置情報受信手段、設置位置情報記憶手段、および設置位置情報取得手段を有する。設置位置情報受信手段は、設置位置情報を受信する。設置位置情報記憶手段には、設置位置情報受信手段において受信された設置位置情報が記憶される。設置位置情報取得手段は、設置位置情報記憶手段から設置位置情報を取得可能である。なお、「設置位置情報取得手段で取得される設置位置情報」は、遠隔設備監視装置においてサービスエンジニア等により取得されて交換後の設備管理装置に入力されるようにしてもよいし、遠隔設備監視装置のオペレータにより取得された後に電子メールに添付してサービスエンジニアの携帯する情報端末に送信されるようにしてもよいし、サービスエンジニアが携帯する情報端末からの要求により情報端末にダウンロードされるようにしてもよい。また、設置位置情報記憶手段に試運転情報が格納されている場合、設置位置情報取得手段が設置位置情報記憶手段から試運転情報を取得することができるようにしてもかまわない。
【０００８】
この設備機器の初期設定支援システムでは、試運転情報記憶手段に、少なくとも試運転実行時において設置位置情報を含む試運転情報が記憶される。そして、設備位置情報発信手段が、試運転情報のうち少なくとも設置位置情報を発信する。すると、設置位置情報受信手段が、設置位置情報を受信する。そしてさらに、設置位置情報記憶手段に、設置位置情報受信手段において受信された設置位置情報が記憶される。そして、設置位置情報取得手段は、設置位置情報記憶手段から設置位置情報を取得可能である。このため、この設備機器の初期設定支援システムでは、設備管理装置が修理不能な状態に陥って新たな設備管理機器に交換しなければならない場合であっても、修理不能な状態に陥った設備管理装置に対応する設備位置情報を容易に取り出すことができる。したがって、この設備機器の初期設定支援システムでは、試運転作業担当者などが事前に試運転ツールに予想設置情報を入力しておく必要がなくなる。この結果、この設備機器の初期設定支援システムでは、試運転作業担当者などは、初期設定作業（再試運転作業）を短期間に完了にさせることができる。
【０００９】
第２発明に係る設備機器の初期設定支援システムは、第１発明に係る設備機器の初期設定支援システムであって、情報送信要求信号送信装置をさらに備える。情報送信要求信号送信装置は、情報送信要求信号を遠隔設備監視装置に対して送信可能である。なお、ここにいう「情報送信要求信号」とは、設置位置情報記憶手段に記憶される設置位置情報を送信するように要求するための信号である。また、遠隔設備監視装置は、情報送信要求信号受信手段をさらに有する。情報送信要求信号受信手段は、情報送信要求信号を受信可能である。そして、設置位置情報取得手段は、情報送信要求信号受信手段において情報送信要求信号が受信された場合に、第１設置位置情報記憶手段から設置位置情報を取得し、情報送信要求信号送信装置に送信する。
【００１０】
この設備機器の初期設定支援システムでは、情報送信要求信号送信装置が、情報送信要求信号を遠隔設備監視装置に対して送信可能である。また、情報送信要求信号受信手段が、情報送信要求信号を受信可能である。そして、設置位置情報取得手段は、情報送信要求信号受信手段において情報送信要求信号が受信された場合に、第１設置位置情報記憶手段から設置位置情報を取得し、情報送信要求信号送信装置に送信する。このため、この設備機器の初期設定支援システムでは、試運転作業担当者などは、現地に出向いている状態で、修理不能な状態に陥った設備管理装置に対応する設備位置情報を入手することができる。したがって、この設備機器の初期設定支援システムでは、試運転作業担当者などは、事前準備をすることなく直接現地に赴いて初期設定作業（再試運転作業）を行うことができる。
【００１１】
第３発明に係る設備機器の初期設定支援システムは、第１発明または第２発明に係る設備機器の初期設定支援システムであって、遠隔設備監視装置は、情報形式変換手段および情報形式復元手段をさらに有する。情報形式変換手段は、設置位置情報受信手段において受信された設置位置情報の情報形式を変換する。また、情報形式復元手段は、情報形式変換手段において形式変換された設置位置情報を元の情報形式に戻す。そして、設置位置情報記憶手段は、情報形式変換手段において形式変換された設置位置情報を記憶する。また、設置位置情報取得手段は、情報形式復元手段において情報形式が戻された設置位置情報を取得する。
【００１２】
この設備機器の初期設定支援システムでは、設置位置情報記憶手段が、情報形式変換手段において形式変換された設置位置情報を記憶する。そして、設置位置情報取得手段が、情報形式復元手段において情報形式が戻された設置位置情報を取得する。このため、この設備機器の初期設定支援システムでは、情報記憶の利便性が向上する。
【発明の効果】
【００１３】
第１発明に係る設備機器の初期設定支援システムでは、設備管理装置が修理不能な状態に陥って新たな設備管理機器に交換しなければならない場合であっても、修理不能な状態に陥った設備管理装置に対応する設備位置情報を容易に取り出すことができる。したがって、この設備機器の初期設定支援システムでは、試運転作業担当者などが事前に試運転ツールに予想設置情報を入力しておく必要がなくなる。この結果、この設備機器の初期設定支援システムでは、試運転作業担当者などは、初期設定作業（再試運転作業）を短期間に完了にさせることができる。
【００１４】
第２発明に係る設備機器の初期設定支援システムでは、試運転作業担当者などは、現地に出向いている状態で、修理不能な状態に陥った設備管理装置に対応する設備位置情報を入手することができる。したがって、この設備機器の初期設定支援システムでは、試運転作業担当者などは、事前準備をすることなく直接現地に赴いて初期設定作業（再試運転作業）を行うことができる。
【００１５】
第３発明に係る設備機器の初期設定支援システムでは、情報記憶の利便性が向上する。
【発明を実施するための最良の形態】
【００１６】
本発明の一実施形態に係る遠隔監視システムを、図１〜図７を用いて以下に説明する。
〔遠隔監視システムの構成〕
遠隔監視システム１５０は、図１に示されるように、主に、マルチ式空気調和装置５０ａ，５０ｂ，５０ｃ、空調コントローラ６０ａ，６０ｃ、遠隔監視サーバ８０、および公衆電話回線１２０から構成される。なお、マルチ式空気調和装置５０ａ，５０ｂおよび空調コントローラ６０ａは第１ビル１０１に配置され、マルチ式空気調和装置５０ｃおよび空調コントローラ６０ｃは第２ビル１０２に配置される。また、遠隔監視サーバ８０は、集中監視センタ１１０に配置される。
【００１７】
〔遠隔監視システムの構成要素〕
（１）マルチ式空気調和装置
マルチ式空気調和装置５０ａ，５０ｂ，５０ｃでは、図１に示されるように、１台（複数台であってもよい）の室外機２０ａ，２０ｂ，２０ｃに対して複数の室内機１０ａ，１０ｂ，１０ｃが冷媒配管（図示せず）および通信線５５ａ，５５ｂ，５５ｃを介して接続される。このマルチ式空気調和装置５０ａ，５０ｂ，５０ｃは、ビル１０１，１０２内を冷暖房したり調湿したりする機能を有する。
【００１８】
（２）空調コントローラ
空調コントローラ６０ａ，６０ｃは、図２に示されるように、マルチ式空気調和装置５０ａ，５０ｂ，５０ｃの監視制御装置であって、主に、中央処理部６１、ＲＡＭ（Random Access Memory）６４、ＲＯＭ（Read Only Memory）６５、ＥＥＰＲＯＭ６６、Ｉ／Ｏ制御部６７、モデム用インターフェイス６９、空気調和装置用インターフェイス７０、試運転ツール用インターフェイス７１、モデム７２、空気調和装置用コネクタ７３、および試運転ツール用コネクタ７４から構成されている。ここで、中央処理部６１、ＲＡＭ６４、ＲＯＭ６５、ＥＥＰＲＯＭ６６、およびＩ／Ｏ制御部６７は、例えば、マイクロコンピュータであって、相互に第１バス線６８によって接続されており、１つの集積回路を構成している。また、モデム用インターフェイス６９、空気調和装置用インターフェイス７０、および試運転ツール用インターフェイス７１、は、例えば、プリント回路基板等であって、第２バス線７５ａ，７５ｂ，７５ｃを介してＩ／Ｏ制御部６７に接続されている。また、モデム７２は、第１通信線７６を介してモデム用インターフェイス６９に接続されている。また、空気調和装置用コネクタ７３は、第２通信線７７を介して空気調和装置用インターフェイス７０に接続されている。また、試運転ツール用コネクタ７４は、第３通信線７８を介して試運転ツール用インターフェイス７１に接続されている。
【００１９】
中央処理部６１は、主に、制御部６２および演算部６３を有する。制御部６２は、図３に示されるように、ＲＯＭ６５に記憶されている監視制御プログラムを読み込み（Ｆｄ６参照）、読み込んだ監視制御プログラムに従って演算部６３、ＲＡＭ６４、ＲＯＭ６５、ＥＥＰＲＯＭ６６、およびＩ／Ｏ制御部６７に動作を指示する（Ｆｃ１〜Ｆｃ４参照）。演算部６３は、図３に示されるように、制御部６２の命令に従って制御部６２、ＲＡＭ６４、ＲＯＭ６５、およびＥＥＰＲＯＭ６６から必要なデータを取得して（Ｆｄ１、Ｆｄ４、およびＦｄ７参照）演算処理（例えば、算術演算処理や論理演算処理等）を行う。また、この演算部６３は、制御部６２の命令に従って、演算処理の処理結果データを制御部６２に供給することができる（Ｆｄ２参照）。また、この演算部６３は、制御部６２の命令に従って、演算処理の処理結果データをＲＡＭ６４やＥＥＰＲＯＭ６６に書き込むことができる（Ｆｄ３参照）。
【００２０】
ＲＡＭ６４は、図３に示されるように、制御部６２の指示に従って、各種データを制御部６２に供給することができる（Ｆｄ５参照）。また、このＲＡＭ６４は、データをＩ／Ｏ制御部６７から取得して（Ｆｄ９参照）一時記憶したり、演算部６３から送信されるデータ（Ｆｄ３参照）を一時記憶したりする。また、このＲＡＭ６４は、制御部６２の命令に応じて一時記憶しているデータをＩ／Ｏ制御部６７に送信する（Ｆｄ８参照）。
【００２１】
ＲＯＭ６５は、監視制御プログラムや各種データを格納している。そして、このＲＯＭ６５は、図３に示されるように、制御部６２の指示に従って、それらを制御部６２に供給する（Ｆｄ６参照）。また、このＲＯＭ６５は、制御部６２の指示に従って、各種データを演算部６３に供給することができる（Ｆｄ７参照）。
ＥＥＰＲＯＭ６６は、電気的に書き換え可能なＲＯＭであり、マルチ式空気調和装置５０ａ，５０ｂ，５０ｃの監視データや試運転ツールから提供される室内機１０ａ，１０ｂ，１０ｃの設置位置データなどを記憶する。なお、本実施の形態において、設置位置データとは、例えば、室内機１０ａ，１０ｂ，１０ｃや室外機２０ａ，２０ｂ，２０ｃそれぞれに割り振られるＩＰアドレス、室内機１０ａ，１０ｂ，１０ｃや室外機２０ａ，２０ｂ，２０ｃの属する冷媒系統名、室内機１０ａ，１０ｂ，１０ｃや室外機２０ａ，２０ｂ，２０ｃの設置日付・機種名・機種コード・基盤・設置場所などのデータである。
【００２２】
Ｉ／Ｏ制御部６７は、モデム７２に着信するデータや、マルチ式空気調和装置５０ａ，５０ｂ，５０ｃから送信されてくるデータ、試運転ツールから送信されるデータ等をＲＡＭ６４へ入力したり（Ｆｄ９参照）、ＲＡＭ６４に記憶されている各種データや制御信号などをマルチ式空気調和装置５０ａ，５０ｂ，５０ｃに送信したりする。
モデム用インターフェイス６９、空気調和装置用インターフェイス７０、および試運転ツール用インターフェイス７１は、通信線７６，７７，７８を介してモデム７２、空気調和装置用コネクタ７３、および試運転ツール用コネクタ７４に接続されており、モデム７２に着信するデータや、マルチ式空気調和装置５０ａ，５０ｂ，５０ｃから送信されてくるデータ、試運転ツールから送信されるデータ等を受信すると同時にそれらのデータを中央処理部６１が処理可能な形式に変換したりＩ／Ｏ制御部６７からモデム７２や、マルチ式空気調和装置５０ａ，５０ｂ，５０ｃに出力されるデータや制御信号などをモデム７２やマルチ式空気調和装置５０ａ，５０ｂ，５０ｃが処理可能な形式に変換したりする。
【００２３】
モデム７２は、制御部６２の指示に従って、ＥＥＰＲＯＭ６６に格納されるマルチ式空気調和装置５０ａ，５０ｂ，５０ｃに関する各種データを、３０分時限おきに、公衆電話回線１２０を介して遠隔監視サーバ８０に送信している。また、このモデム７２は、演算部６３においてマルチ式空気調和装置５０ａ，５０ｂ，５０ｃに異常が発生したと判定された場合、制御部６２の指示に従って異常識別コード（マルチ式空気調和装置５０ａ，５０ｂ，５０ｃから送信されてくる）、マルチ式空気調和装置５０ａ，５０ｂ，５０ｃの機種番号や機種名などのデータ、およびビル１０１，１０２を特定するための顧客ＩＤデータなどとともに即座に公衆電話回線１２０を介して遠隔監視サーバ８０に送信する。
【００２４】
空気調和装置用コネクタ７３には、図２に示されるように、マルチ式空気調和装置５０ａ，５０ｂ，５０ｃの室外機２０ｃ，２０ｂ，２０ｃが接続される。
試運転ツール用コネクタ７４には、試運転ツールが接続される。なお、本実施の形態において、試運転ツールとは、マルチ式空気調和装置５０ａ，５０ｂ，５０ｃの室内機１０ａ，１０ｂ，１０ｃが適切に位置に設置されるかを確認するためのソフトウェアがインストールされる携帯可能なパーソナルコンピュータ等である。
【００２５】
（３）遠隔監視サーバ
遠隔監視サーバ８０は、図４に示されるように、主に、サーバ本体８０ａ、入力装置９４、ディスプレイ９５、およびモデム９６から構成されている。
サーバ本体８０ａは、図４に示されるように、主に、中央処理部８１、メインメモリ８５、ハードディスク８６、接続部８４、ＩＤＥインターフェイス８７、入力インターフェイス８８、ディスプレイインターフェイス８９、およびモデムインターフェイス９０から構成されている。そして、このサーバ本体８０ａでは、中央処理部８１が第１バス線９１を介して、メインメモリ８５が第２バス線９２を介して、各種インターフェイス８８〜８９が第３バス線９３を介して接続部８４に接続されている。ここで、中央処理部８１は、例えば、マイクロプロセッサと呼ばれる半導体チップ等であって、主に、制御部８２および演算部８３から構成される（他に１次キャッシュメモリや２次キャッシュメモリ等を含んでいてもよい）。メインメモリ８５は、例えば、ＲＡＭ（ランダムアクセスメモリ）等の半導体チップである。接続部８４は、チップセット等の半導体チップである。なお、このハードディスク８６は、外付けタイプであってもかまわない。そして、このハードディスク８６には、図６に示されるように、オペレーティングシステム８６ａ、デバイスドライバ８６ｂ、および空調監視アプリケーション８６ｃや、設置位置データ抽出アプリケーション８６ｅ、試運転データ作成アプリケーション８６ｆといったプログラム、空調監視データ８６ｄ等が格納されている。オペレーティングシステム８６ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部８４〜８６、各種インターフェイス８７〜９０、各装置９４〜９６等のハードウェア管理や、ユーザインターフェイスの提供、各種データの管理、アプリケーションの共通部分の処理等を行う。デバイスドライバ８６ｂは、ハードディスク８６、接続部８４、および各装置９４〜９６それぞれに対して用意されている専用プログラムであって、オペレーティングシステム８６ａがハードディスク８６、接続部８４、および各装置９４〜９６を制御するための橋渡しを行う。空調監視アプリケーション８６ｃは、空調コントローラ６０ａ，６０ｃから遠隔監視サーバ８０に送信されてくるマルチ式空気調和装置５０ａ，５０ｂ，５０ｃの監視データや設置位置データ等を所定のデータベースに格納したり監視データを適宜加工する等して所望のデータを構築したりするためのプログラムである。なお、本実施の形態において、空調監視アプリケーション８６ｃは常時実行されており、モデム９６に設置位置データが受信されると、演算部８３が制御部８２の指示に従ってその設置位置データを規定のデータ形式に変換した後に（本実施の形態ではコラム付きテキスト形式からＸＭＬ形式に変換）ハードディスク８６に格納する。また、設置位置データ抽出アプリケーション８６ｅはユーザによる入力装置９４の操作により起動し、ユーザによる所定の操作により所定のデータベースに格納されている特定の設置位置データを取り出すことができるようになっている。なお、設置位置データ抽出アプリケーション８６ｅ起動中に、設置位置データが所定のデータベースから取り出される場合、そのデータ形式は演算部８３により元���データ形式に復元される（本実施の形態ではＸＭＬ形式からコラム付きテキスト形式に変換）。また、試運転データ作成アプリケーション８６ｆは、ユーザによる入力装置９４の操作により起動し、ユーザによる所定の操作により設置位置データと機種別汎用ＣＳＶデータとから試運転データを作成することができるようになっている。ＩＤＥ（Integrated Drive Electronics）インターフェイス８７は、ハードディスク８６を接続部８４に接続する。入力インターフェイス１６は、例えば、ＰＳ／２、ＵＳＢ、ＩＥＥＥ１２８４、ＲＳ２３２、あるいはＩｒＤＡ（Infrared Data Association）等のインターフェイスであって、メインメモリ８５にデータを入力するためのキーボード、マウス、スキャナ、あるいはＯＣＲ（Optical Character Reader）等といった入力装置９４を接続する。ディスプレイインターフェイス８９は、例えば、ＡＧＰ（Accelerated Graphics Port）、ＰＣＩ（Peripheral Component Interconnect）、あるいはＲＳ２３２等のインターフェイスであって、メインメモリ８５から送信されてきたデータを文字や画像として表示するためのＣＲＴディスプレイ、液晶ディスプレイ、あるいはプラズマディスプレイ等といったディスプレイ９５を接続する。モデムインターフェイス９０は、公衆電話回線１２０等に通信接続するためのモデム９６を接続する。
【００２６】
次に、図５を用いて遠隔監視サーバ８０の動作について説明する。
制御部８２は、図５に示されるように、メインメモリ８５に一時記憶されるプログラムを読み込み（Ｆｄ６参照）、読み込んだプログラムに従って各部８３〜８６および各装置９４〜９６に動作を指示する（Ｆｃ１〜Ｆｃ６参照）。演算部８３は、制御部８２の命令に従ってメインメモリ８５から必要なデータを取得して（Ｆｄ２参照）演算処理（例えば、算術演算処理や論理演算処理等）を行う。メインメモリ８５は、プログラムやデータ等をハードディスク８６から取得して（Ｆｄ４参照）一時記憶したり、入力装置９４において入力されたデータを一時記憶したり（Ｆｄ１参照）、演算部８３やモデム９６等から送信されるデータ等（Ｆｄ３およびＦｄ１０参照）を一時記憶したりする。また、このメインメモリ８５は、制御部８２の命令に応じて一時記憶しているデータ等を各部８３〜８６および各装置９４〜９６に送信する（Ｆｄ２、Ｆｄ５、Ｆｄ７、Ｆｄ８、およびＦｄ９参照）。ハードディスク８６は、制御部８２の命令に応じてメインメモリ８５にプログラムやデータ等を供給したり（Ｆｄ４参照）メインメモリ８５から送信されるデータ等を格納したりする（Ｆｄ５参照）。
【００２７】
〔試運転ツールの構成〕
試運転ツールは、上述したように携帯可能なパーソナルコンピュータ等である。したがって、試運転ツールの基本的な構成は、遠隔監視サーバ８０と同一である。ただし、本実施の形態では、試運転ツールは、モデム等の外部用通信装置を装備していない。
〔試運転〕
例えば、ビル１０１，１０２等にマルチ式空気調和装置５０ａ，５０ｂ，５０ｃとともに空調コントローラ６０ａ，６０ｃが新規設置され、その空調コントローラ６０ａ，６０ｃが遠隔監視サーバ８０と通信接続される場合、空調コントローラ６０ａ，６０ｃが認識する室内機１０ａ，１０ｂ，１０ｃや室外機２０ａ，２０ｂ，２０ｃの設置位置データと室内機１０ａ，１０ｂ，１０ｃや室外機２０ａ，２０ｂ，２０ｃの実際の設置位置とが完全に一致しているか否かを確認しなければならない。本実施の形態では、この確認を、空調コントローラ６０ａ，６０から室内機１０ａ，１０ｂ，１０ｃや室外機２０ａ，２０ｂ，２０ｃを試運転させることにより確認する。この試運転の実行に当たっては、特開２００４−０１５７４７号公報に開示される試運転ツールが導入され、空調コントローラ６０ａ，６０ｃが認識する室内機１０ａ，１０ｂ，１０ｃや室外機２０ａ，２０ｂ，２０ｃの設置位置データと室内機１０ａ，１０ｂ，１０ｃや室外機２０ａ，２０ｂ，２０ｃの実際の設置位置とが完全に一致しているか否かが確認される。なお、このとき、室内機１０ａ，１０ｂ，１０ｃや室外機２０ａ，２０ｂ，２０ｃの設置位置データは、特開２００４−０１５７４７号公報に示されるように、空調コントローラ６０により遠隔監視サーバ８０に送信され、遠隔監視サーバ８０のハードディスク８６に格納される。以降、遠隔監視サーバ８０は、この設置位置データを組み込んで空調監視アプリケーション８６ｃを実行することとなる。
【００２８】
〔再試運転〕
空調コントローラ６０ａ，６０ｃが修理不能な状態に陥って新しい空調コントローラ６０ａ，６０ｃに交換しなければならない場合、新しい空調コントローラ６０ａ，６０ｃとマルチ式空気調和装置５０ａ，５０ｂ，５０ｃとの関係を確認しなければならないため、再度の試運転が行われる。以下、図７に示されるフローチャートを用いて、再試運転作業の流れを説明する。
【００２９】
図７において、ステップＳ１では、試運転作業担当者が、遠隔監視サーバ８０の入力装置９４を操作して設置位置データ抽出アプリケーション８６ｅを起動させ、設置位置データ抽出アプリケーション８６ｅを利用して所定のデータベースから対象となるビル１０１，１０２の設置位置データを取り出す。ステップＳ２では、試運転作業担当者が、遠隔監視サーバ８０の入力装置９４を操作して試運転データ作成アプリケーション８６ｆを起動させ、試運転データ作成アプリケーション８６ｆを利用して設置位置データと機種別汎用ＣＳＶデータとから対象となる新規の空調コントローラ６０ａ，６０ｃ用の試運転データを作成する。ステップＳ３では、試運転作業担当者が、試運転データを遠隔監視サーバ８０から試運転ツールへコピー処理する。ステップＳ４では、試運転作業担当者が、試運転ツールを携帯して新規の空調コントローラ６０ａ，６０ｃの元へ移動する。ステップＳ５では、試運転作業担当者が、試運転ツールを新規の空調コントローラ６０ａ，６０ｃの試運転ツール用コネクタ７４に接続する。ステップＳ６では、試運転作業担当者が、試運転ツールを操作して試運転データを新規の空調コントローラ６０ａ，６０ｃへ入力する。なお、このとき、空調コントローラ６０ａ，６０ｃでは、Ｉ／Ｏ制御部６７が、制御部６２の指示に従って、試運転データをＥＥＰＲＯＭ６６に書き込む。ステップＳ７では、試運転作業担当者が、試運転ツールにより試運転を実行する。ステップＳ８では、空調コントローラ６０ａ，６０ｃにおいて、Ｉ／Ｏ制御部６７が制御部６２の指示に従ってＥＥＰＲＯＭ６６から設定位置データを抽出した後その設定位置データをモデム用インターフェイス６９を介してモデム７２に送信し、モデム７２が制御部６２の指示に従ってその設定位置データを公衆電話回線１２０を介して遠隔監視サーバ８０へ送信する。ステップＳ９では、遠隔監視サーバ８０において、モデム９６が制御部８２の指示に従って設定位置データを受信した後、ハードディスク８６が制御部８２の指示に従ってその設定位置データを格納する。
【００３０】
〔遠隔監視システムの特徴〕
（１）
本実施の形態に係る遠隔監視システム１５０では、空調コントローラ６０ａ，６０ｃのＥＥＰＲＯＭ６６に試運転データが記憶される。そして、モデム７２が、試運転データに含まれる設置位置データを遠隔監視サーバ８０に送信する。すると、遠隔監視サーバ８０において、ハードディスク８６に設置位置データが格納される。そして、試運転作業担当者は、設置位置データ抽出アプリケーション８６ｅにより、所定のデータベースから設置位置データを抽出することが可能となっている。このため、この遠隔監視システム１５０では、空調コントローラ６０ａ，６０ｃが修理不能な状態に陥って新たな空調コントローラ６０ａ，６０ｃに交換しなければならない場合であっても、試運転作業担当者は、修理不能な状態に陥った空調コントローラ６０ａ，６０ｃに対応する設備位置データを容易に取り出すことができる。したがって、この遠隔監視システム１５０では、試運転作業担当者が事前に試運転ツールに予想設置情報を入力しておく必要がなくなる。この結果、この遠隔監視システム１５０では、試運転作業担当者などは、再試運転作業を短期間に完了にさせることができる。
【００３１】
（２）
本実施の形態に係る遠隔監視システム１５０では、空調監視アプリケーション８６ｃが常時実行されており、モデム９６に設置位置データが受信されると、演算部８３が制御部８２の指示に従ってその設置位置データを規定のデータ形式に変換した後にハードディスク８６に格納する。また、設置位置データ抽出アプリケーション８６ｅ起動中に、設置位置データが所定のデータベースから取り出される場合、そのデータ形式は演算部８３により元のデータ形式に復元される。このため、この遠隔監視システム１５０では、情報記憶の利便性が向上する。
【００３２】
〔変形例〕
（Ａ）
先の実施の形態に係る遠隔監視システム１５０では、試運転作業担当者が、設置位置データ抽出アプリケーション８６ｅを利用して設置位置データを取り出した後、試運転データ作成アプリケーション８６ｆを利用して試運転データを作成し、試運転データを遠隔監視サーバ８０から試運転ツールへコピー処理し、試運転ツールを携帯して新規の空調コントローラ６０ａ，６０ｃの元へ移動していた。しかし、監視オペレータ等が、設置位置データ抽出アプリケーション８６ｅを利用して設置位置データを取り出した後、その設定位置データを試運転作業担当者に添付メールで送信するようにしてもよい。なお、かかる場合、試運転作業担当者が試運転データを作成することができるように、試運転ツールに試運転データ作成アプリケーション８６ｆをインストールしておく必要がある。また、監視オペレータ等が、試運転データまで作成して試運転作業担当者に添付メールで送信するようにしてもよい。このようにすれば、試運転作業担当者の手間が省かれる。
【００３３】
（Ｂ）
先の実施の形態に係る遠隔監視システム１５０では、設置位置データ抽出アプリケーション８６ｅはユーザによる入力装置９４の操作により起動した。しかし、試運転ツールにモデム等の外部通信装置を持たせて、試運転ツールから設置位置データダウンロード要求信号が送信されてきたときに設置位置データ抽出アプリケーション８６ｅが起動するようにしてもよい。また、試運転ツールを空調コントローラ６０ａ，６０ｃに接続した状態で試運転ツールが空調コントローラ６０ａ，６０ｃのモデム７２を使用できるように設定しておいてもよい。かかる場合、抽出された設置位置データは、自動的にモデム９６を介して試運転ツールにダウンロードされる。このようにすれば、試運転作業担当者などは、現地に出向いている状態で、新規の空調コントローラ６０ａ，６０ｃに対応する設備位置データを入手することができる。したがって、試運転作業担当者などは、事前準備をすることなく直接現地に赴いてから再試運転作業を行うことができる。
【００３４】
（Ｃ）
先の実施の形態に係る遠隔監視システム１５０では、試運転作業担当者が、設置位置データ抽出アプリケーション８６ｅを利用して設置位置データを取り出した後に試運転データ作成アプリケーション８６ｆを利用して、試運転データを作成した。しかし、設置位置データ抽出アプリケーション８６ｅと試運転データ作成アプリケーション８６ｆとを融合させて、設置位置データの取り出しと試運転データとの作成とが自動的に行われるようにしてもかまわない。このようにすれば、試運転作業担当者の手間がさらに省ける。
【００３５】
（Ｄ）
先の実施の形態に係る遠隔監視システム１５０では、マルチ式空気調和装置５０ａ，５０ｂ，５０ｃを監視対象としたが、本発明の監視対象は、マルチ式空気調和装置５０ａ，５０ｂ，５０ｃに限られない。監視対象は、例えば、セントラル式空気調和装置などの他形式の空気調和装置であってもよいし、照明機器、給湯器などの設備機器であってもよい。
【産業上の利用可能性】
【００３６】
本発明に係る設備機器の初期設定支援システムは、視担当者などが再試運転作業を短期間に完了にさせることができるという特徴を有し、複数の設備機器を集中的に監視するシステムに特に有用である。
【図面の簡単な説明】
【００３７】
【図１】本発明の実施の形態に係る遠隔監視システムのシステム構成図。
【図２】本発明の実施の形態に係る遠隔監視システムの空調コントローラの内部構成図。
【図３】本発明の実施の形態に係る遠隔監視システムの空調コントローラにおける制御信号およびデータの流れを表す図。
【図４】本発明の実施の形態に係る遠隔監視システムの遠隔監視サーバの内部構成図。
【図５】本発明の実施の形態に係る遠隔監視システムの遠隔監視サーバにおける制御信号およびデータの流れを表す図。
【図６】本発明の実施の形態に係る遠隔監視システムの遠隔監視サーバのハードディスクのイメージ図。
【図７】本発明の実施の形態に係る再試運転作業の流れを表すフローチャート。
【符号の説明】
【００３８】
５０ａ，５０ｂ，５０ｃ      マルチ式空気調和装置（複数の設備機器）
６０ａ，６０ｃ              空調コントローラ（設備管理装置）
６６                        ＥＥＰＲＯＭ（試運転情報記憶手段）
７２                        モデム（設備位置情報発信手段）
８０                        遠隔監視サーバ（遠隔設備監視装置）
８６                        ハードディスク（設置位置情報記憶手段）
８６ｅ                      設置位置データ抽出アプリケーショ（設置位置情報取得手段）
９６                        モデム（設置位置情報受信手段）
１５０                        遠隔監視システム（設備機器の初期設定支援システム）
【図１】
2006285352.tif 000003
【図２】
2006285352.tif 000004
【図３】
2006285352.tif 000005
【図４】
2006285352.tif 000006
【図５】
2006285352.tif 000007
【図６】
2006285352.tif 000008
【図７】
2006285352.tif 000009